(57)【要約】【課題】データ取り込みのスリップを監視し、マスターとなる回線以外でスリップが発生した場合はマスタークロックとなる回線抽出クロックを切り替えるクロック切替回路を提供する。【解決手段】第１のクロック切替回路は、複数の回線にそれぞれに設けられてクロックを抽出するクロック抽出回路と、これらのクロック抽出を選択するクロック選択回路と、スリップを検出／監視するスリップ監視回路とを有し、クロック選択回路は、スリップ障害が検出した際に、スリップ監視回路からの指示によって、別のクロックを選択する。【選択図】図１
2009239738.tif 000002
【特許請求の範囲】
【請求項１】
複数の回線にそれぞれに設けられてクロックを抽出するクロック抽出回路と、
これらのクロック抽出を選択するクロック選択回路と、
スリップを検出／監視するスリップ監視回路とを有し、
前記クロック選択回路は、スリップ障害が検出した際に、前記スリップ監視回路からの指示によって、別のクロックを選択することを特徴とするクロック切替回路。
【請求項２】
前記スリップ監視回路は、複数回線のデータを格納するそれぞれのバッファに対して前記検出／監視を行うことを特徴とする請求項１に記載のクロック切替回路。
【請求項３】
前記バッファに対する前記検出／監視は、データ書き込みと、データ読み出しとのタイミングに関することを特徴とする請求項２に記載のクロック切替回路。
【請求項４】
前記スリップ監視回路は、前記データ書き込みのタイミングに関して、読み出し前に書き込みが行われてしまった際に、データ抜けが発生と判断することを特徴とする請求項３に記載のクロック切替回路。
【請求項５】
前記スリップ監視回路は、前記データ読み出しのタイミングに関して、書き込み前に読み出しが行われてしまった際に、データ重複が発生と判断することを特徴とする請求項３に記載のクロック切替回路。
【請求項６】
前記スリップ監視回路は、データ抜けが発生、または、データ重複が発生したと判断した際に、スリップ障害と判定し、前記クロック選択回路に通知し、前記スリップ監視回路を追加することを特徴とする請求項４または５に記載のクロック切替回路。
【請求項７】
前記スリップ監視回路は、前記スリップ障害がクロックとして選択している回線以外の全回線で発生している際には、前記クロックとして抽出した回線に同期外れが発生していると判定することを特徴とする請求項６に記載のクロック切替回路。
【請求項８】
前記クロックとして抽出した回線以外の全ての回線に同期外れが発生していると判定された場合、および、前記クロックとして抽出した回線に同期外れが発生していると判定した場合、別の回線クロックに切り替えることを特徴とする請求項７に記載のクロック切替回路。
【発明の詳細な説明】
【技術分野】
【０００１】
本発明は、複数対地より入力される網同期した回線信号からクロックを抽出し、その中から唯一マスターとなるクロックを選択するクロック切替回路に関する。
【背景技術】
【０００２】
複数対地より入力される網同期した回線信号からクロックを抽出し、その中から唯一マスターとなるクロックを選択して、そのタイミングで全回線のデータ取り込みを行う回路において、従来はマスタークロックとして選択している回線がＬＯＳ（Los of signal）にならない限りクロックの切り替えが行われない。
【０００３】
このため、伝送路の故障等で、ＬＯＳを伴わない網同期を外れた回線信号と成った場合は、その回線の抽出クロックを選択し続けてしまい、マスタークロックとして選択している回線以外のデータ取り込みでスリップが発生し、それらの回線品質を悪化させてしまう課題があった。
【０００４】
ここで言う回線品質の悪化とは、例えばスリップが発生した回線の使用率がもともと低い場合は、上位レイヤの信号再送処理が動作することで、通常の回線使用率より上昇してしまい、輻輳が発生しやすくなることや、回線使用率が高い場合は、スリップが継続すると再送処理でも救えきれずにリンクの切断に陥りサービスの停止につながることを指す。
【０００５】
このように、複数対地より入力される網同期した回線信号からクロックを抽出し、その中から唯一マスターとなるクロックを選択して、そのタイミングで全回線のデータ取り込みを行う回路において、マスタークロックを抽出する回線にＬＯＳが発生しなければ、マスタークロックが切り替わらなかったため、ＬＯＳを伴わない網同期を外れた回線信号となった場合に、マスタークロックとして選択している回線以外のデータ取り込みでスリップが発生し、それらの回線品質を悪化させてしまう課題があった。
【０００６】
これに関連する技術を次に開示する。
【０００７】
特許文献１に開示の網同期装置の従属ルート切替方式は、従属先リンクの接続切替を行う切替手段と、各リンクの接続切替を行い、各リンクの周波数差によって生じるスリップを検出し、検出されたスリップを計数し、従属ルート以外のリンクのうち、予め指定された比率以上のリンクでスリップが生じた場合に従属先ルートの周波数以上と判断することが記載されている。これによって、従属先ルートの周波数異常がクロック同期網内に広く普及することや速やかに防止することが可能となる。
【０００８】
特許文献２に開示のディジタル信号の同期乗せ換え回路は、音声信号入力端子から入力された書き込みアドレスカウンタからの書き込みアドレスに応じて、入力ディジタル音声信号がバッファメモリに順次書き込まれ、読み出しアドレスカウンタからの読み出しアドレスに応じて、バッファメモリからディジタル音声信号が読み出され、スリップ監視回路は、書き込みアドレスと読み出しアドレスとの差を常時監視し、その差分が予め設定した値に近づいたときに音量制御開始信号を出力し、音量調整回路は、音量制御開始信号をトリガとして、バッファメモリから読み出されたディジタル音声信号の振幅（音量）を徐々に減少させた後、読み出しドレスは読み出しアドレス切り替え信号で切り替わることが記載されている。これによって、読み出しカウンタ値を切り替えたときの複合音声ノイズを消すことができるという効果を有する。
【特許文献１】特開平１−１２０１４４号公報
【特許文献２】特開平８−３２５６２号公報
【発明の開示】
【発明が解決しようとする課題】
【０００９】
しかしながら、上述した特許文献１は、従属ルートの接続切替を行うこと、スリップを監視し、スリップの発生状況に応じて、従属ルートの変更を切替スイッチに指示することは記載されているが、スリップ検出、監視が複数回線のデータを格納するバッファに対して行われることが記載されていなく、示唆もなされていない。
【００１０】
また、特許文献２は、従属ルートの接続切替を行うこと、スリップを監視し、スリップの発生状況に応じて、従属ルートの変更を切替スイッチに指示することが、記載されていなく、示唆もなされていない。
【００１１】
そこで、本発明は、データ取り込みのスリップを監視し、マスターとなる回線以外でスリップが発生した場合はマスタークロックとなる回線抽出クロックを切り替えるクロック切替回路の提供を目的とする。
【課題を解決するための手段】
【００１２】
上記の目的を達成するため、本発明にかかる第１のクロック切替回路は、複数の回線にそれぞれに設けられてクロックを抽出するクロック抽出回路と、これらのクロック抽出を選択するクロック選択回路と、スリップを検出／監視するスリップ監視回路とを有し、前記クロック選択回路は、スリップ障害が検出した際に、前記スリップ監視回路からの指示によって、別のクロックを選択することを特徴とする。
【発明の効果】
【００１３】
そこで、本発明は、データ取り込みのスリップを監視し、マスターとなる回線以外でスリップが発生した場合はマスタークロックとなる回線抽出クロックを切り替えることで、網同期を外れた回線抽出クロックを選択し続けることがなくなるクロック切替回路の提供を可能とする。
【００１４】
複数対地より入力される網同期した回線信号からクロックを抽出し、その中から唯一マスターとなるクロックを選択して、そのタイミングで全回線のデータ取り込みを行う回路において、マスタークロックとして選択している回線がＬＯＳにならない限り、クロック切り替えが行われず、ＬＯＳを伴わない網同期から外れた信号となった場合は、その他の回線でスリップが発生し、それらは回線品質の悪化につながっていた。
【００１５】
そこで図１に示す構成のように、データ取り込みのスリップを監視し、マスターとなる回線以外でスリップが発生した場合にマスタークロックを切り替えることで、網同期を外れた回線信号の抽出クロックを選択し続けることはなくなり、網同期を外れた回線以外の品質悪化を回避することが可能となる。
【発明を実施するための最良の形態】
【００１６】
本発明は、以下に記載することを実現する。
【００１７】
データ取り込みのスリップを監視し、マスターとなる回線以外でスリップが発生した場合はマスタークロックとなる回線抽出クロックを切り替えることで、網同期を外れた回線抽出クロックを選択し続けることがなくなる。
【００１８】
また、複数対地より入力される網同期した回線信号からクロックを抽出し、その中から唯一マスターとなるクロックを選択して、そのタイミングで全回線のデータ取り込みを行う回路において、データ取り込みのスリップを監視し、マスターとなる回線以外でスリップが発生した場合にマスタークロックを切り替えることで、網同期を外れた回線信号の抽出クロックを選択し続けることはなくなり、網同期を外れた回線以外の品質悪化を回避することが可能となる。
【００１９】
上述した本発明を以下の実施形態を用いて詳細に説明する。
以下の実施の形態は、本発明を好適もしくは最良に実施する形態であって、これに限定されることはなく、当業者が容易に想到できる範囲内において、修正、変形可能とする。
【００２０】
最初に図１を用いて本発明にかかるクロック切替回路の構成について説明する。
図１は、本発明の一実施例としてのクロック切替回路の構成を示す。
【００２１】
図１において、本発明にかかるクロック切替回路は、クロック抽出回路１１１、クロック抽出回路１１２、クロック抽出回路１１３、クロック抽出回路１１４と、バッファ１２１、バッファ１２２、バッファ１２３、バッファ１２４と、クロック選択回路１３０と、スリップ監視回路１４０とで構成される。
【００２２】
クロック抽出回路１１１は、各対地より入力する網同期した回線信号１１からクロックを抽出する。
【００２３】
クロック抽出回路１１２は、各対地より入力する網同期した回線信号１２からクロックを抽出する。
【００２４】
クロック抽出回路１１３は、各対地より入力する網同期した回線信号１３からクロックを抽出する。
【００２５】
クロック抽出回路１１４は、各対地より入力する網同期した回線信号１４からクロックを抽出する。
【００２６】
バッファ１２１は、回線信号１１をクロック２１で書き込み、装置内で使用するデータ４１をクロック３０で読み出す。
【００２７】
バッファ１２２は、回線信号１２をクロック２２で書き込み、装置内で使用するデータ４２をクロック３０で読み出す。
【００２８】
バッファ１２３は、回線信号１３をクロック２３で書き込み、装置内で使用するデータ４３をクロック３０で読み出す。
【００２９】
バッファ１２４は、回線信号１４をクロック２４で書き込み、装置内で使用するデータ４４をクロック３０で読み出す。
【００３０】
クロック選択回路１３０は、クロック抽出回路１１１、クロック抽出回路１１２、クロック抽出回路１１３、クロック抽出回路１１４よりそれぞれ抽出したクロック２１、クロック２２、クロック２３、クロック２４から装置内で使用する唯一のクロック（クロック３０）を選択する。
【００３１】
スリップ監視回路１４０は、回線信号をクロックで書き込み、装置内で使用するデータをクロックで読み出すためのバッファと、このバッファのデータ書き込みとデータ読み出しのタイミングを監視し、読み出し前に書き込みが行われてしまってデータ抜けが発生してしまったり、書き込み前に読み出しが行われてしまってデータ重複が発生してしまうようなスリップ障害が発生していないかをチェックし、その情報をクロック選択回路１３０に通知する。
【００３２】
次に、上述した構成を有するクロック切替回路の処理について図１および図２を用いて説明する。
図２は、本発明にかかるクロック切替回路の処理を示すフローチャートである。
【００３３】
クロック抽出回路では回線信号よりクロックを抽出し、クロックとして出力する。
【００３４】
このクロックのタイミングで回線信号のデータをバッファに格納する。またクロック２１〜２４は、クロック選択回路１３０によりＬＯＳとなっていないクロックが選択され、装置内で使用するクロック３０として出力される（ステップＳ１）。
【００３５】
このクロック３０のタイミングでバッファから装置内で使用するデータの読み出しが行われる。ここまでの動作が従来の回路である。
【００３６】
この従来の回路では、クロック選択回路１３０において装置内で使用するクロック３０として選択したクロック（例えばクロック２１）がＬＯＳつまり回線信号１１がＬＯＳにならなければ選択クロックの切り替えが起こらない為、伝送路の障害等で回線信号１１が網同期から外れてしまった場合、クロック２１を選択し続けて、他の回線にスリップが発生してしまい回線品質が悪化する。
【００３７】
そこでこの課題を解決するために、バッファのデータ書き込みとデータ読み出しのタイミングを監視し、読み出し前に書き込みが行われてしまったとき（データ抜けが発生）と、書き込み前に読み出しが行われてしまったとき（データ重複が発生）にスリップ障害と判定し、その情報をクロック選択回路１３０に通知するスリップ監視回路１４０を追加する。
【００３８】
このスリップ障害がクロック３０として選択している回線以外の全回線で発生している場合は、クロック３０として抽出した回線に同期外れが発生していると判定する（ステップＳ２）。
【００３９】
ステップＳ２の処理で、クロック３０として抽出した回線以外の全ての回線でスリップ障害が発生している状態ではないと判定された場合（ステップＳ２／ＮＯ）、選択クロック３０にＬＯＳが発生していないか判定する（ステップＳ３）。
【００４０】
ステップＳ３の処理で、クロック３０として抽出した回線にＬＯＳが発生していないと判定された場合（ステップＳ３／ＮＯ）、ステップＳ２の処理に戻る。
【００４１】
ステップＳ２の処理で、クロック３０として抽出した回線以外の全ての回線に同期外れが発生していると判定された場合（ステップＳ２／ＹＥＳ）、および、ステップＳ３の処理で、クロック３０として抽出した回線にＬＯＳが発生していると判定された場合（ステップＳ３／ＹＥＳ）、ＬＯＳでない別の回線クロックに切り替わる（ステップＳ４）。
【００４２】
ステップＳ４の処理後は、ステップＳ２の処理に戻る。この処理によって、それまでスリップ障害が発生していた回線が復旧し、回線品質の悪化を回避することが可能となる。
【００４３】
本実施形態によれば、装置内で使用するためのクロックを抽出する回線が、ＬＯＳを伴わない網同期が外れるような障害が発生した場合でも、正常な回線から抽出したクロックに切り替わることにより、同期外れ回線に引きずられた他の回線の品質悪化を回避することが可能となる。
【００４４】
このように、本発明は、複数対地より入力される網同期した回線信号からクロックを抽出し、その中から唯一マスターとなるクロックを選択して、そのタイミングで全回線のデータ取り込みを行う回路において、マスタークロックとして選択している回線がＬＯＳにはならずに網同期から外れたときでも、マスタークロックを切り替えることで、網同期から外れた回線に影響されること無く、他の回線の品質悪化を回避することができる。
【図面の簡単な説明】
【００４５】
【図１】本発明のクロック切替回路の構成の一例である。
【図２】本発明のクロック切替回路における処理を示すフローチャートである。
【符号の説明】
【００４６】
１１１、１１２、１１３、１１４    クロック抽出回路
１２１、１２２、１２３、１２４    バッファ
１３１、１３２、１３３、１３４    クロック選択回路
１４０    スリップ監視回路
【図１】
2009239738.tif 000003
【図２】
2009239738.tif 000004